(57)【特許請求の範囲】
【請求項１】
無線通信システムにおいてユーザー機器でのアップリンク伝送を制御する方法であって、前記ユーザー機器は、複数のコンポーネント搬送波を用いて構成され、前記方法は、
アップリンク信号を基地局に伝送するための設定情報を前記基地局から受信することであって、前記設定情報は、前記アップリンク信号を前記基地局に周期的に伝送するための情報を含む、ことと、
前記設定情報を用いて対応するアップリンクコンポーネント搬送波で前記アップリンク信号を前記基地局に周期的に伝送するための動作を行うことと
を含み、
前記アップリンク信号を伝送するための時間において前記対応するアップリンクコンポーネント搬送波が利用可能な状態である場合に、前記アップリンク信号は、前記時間において前記対応するアップリンクコンポーネント搬送波で伝送され、
前記アップリンク信号を伝送するための時間において前記対応するアップリンクコンポーネント搬送波が利用不可能な状態である場合に、前記アップリンク信号は、前記時間において前記対応するアップリンクコンポーネント搬送波で伝送されない、方法。
【請求項２】
前記設定情報は、ＲＲＣ（Ｒａｄｉｏ  Ｒｅｓｏｕｒｃｅ  Ｃｏｎｔｒｏｌ）設定情報である、請求項１に記載の方法。
【請求項３】
前記対応するアップリンクコンポーネント搬送波およびダウンリンクコンポーネント搬送波のためのリンケージ情報が、ＲＲＣシグナリングを用いて構成され、
前記対応するアップリンクコンポーネント搬送波の利用可能／利用不可能な状態は、前記ＲＲＣシグナリングにより構成されるリンケージ情報に基づいてＬ１／Ｌ２（Ｌａｙｅｒ  １／Ｌａｙｅｒ  ２）制御シグナリングを用いて制御される、請求項２に記載の方法。
【請求項４】
前記アップリンク信号は、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｆｏｒｍａｔｉｏｎ）及びＳＲＳ（Ｓｏｕｎｄｉｎｇ  Ｒｅｆｅｒｅｎｃｅ  Ｓｉｇｎａｌ）のうちの少なくとも一つを含む、請求項１に記載の方法。
【請求項５】
前記対応するアップリンクコンポーネント搬送波が利用不可能な状態であるか否かは、前記対応するアップリンクコンポーネント搬送波にリンクされたダウンリンクコンポーネント搬送波の状態を用いて確認される、請求項１に記載の方法。
【請求項６】
前記対応するアップリンクコンポーネント搬送波の利用可能／利用不可能な状態は、前記対応するアップリンクコンポーネント搬送波にリンクされたダウンリンクコンポーネント搬送波の利用可能／利用不可能な状態として同様に制御される、請求項１に記載の方法。
【請求項７】
前記対応するアップリンクコンポーネント搬送波は、前記対応するアップリンクコンポーネント搬送波にリンクされた複数のダウンリンクコンポーネント搬送波がいずれも利用不可能な状態である場合に、利用不可能な状態として構成される、請求項１に記載の方法。
【請求項８】
前記対応するアップリンクコンポーネント搬送波が利用不可能な状態であるか否かは、Ｌ１／Ｌ２制御シグナリングを用いて確認される、請求項１に記載の方法。
【請求項９】
無線通信システムにおいて複数のコンポーネント搬送波を用いて基地局と通信するように構成されたユーザー機器であって、前記ユーザー機器は、
前記基地局との間で無線信号を送受信するように構成されたＲＦ（Ｒａｄｉｏ  Ｆｒｅｑｕｅｎｃｙ）ユニットと、
前記基地局との間で送受信される情報と、前記ユーザー機器の動作を行うのに必要とされるパラメーターとを格納するように構成されたメモリと、
前記ＲＦユニットと前記メモリとに連結されるように構成され、前記ユーザー機器を動作させるために前記ＲＦユニットと前記メモリとを制御するように構成されたプロセッサと
を含み、
前記プロセッサは、アップリンク信号を前記基地局に伝送するための設定情報を受信し、前記設定情報を用いて対応するアップリンクコンポーネント搬送波で前記アップリンク信号を前記基地局に周期的に伝送するための動作を行うように構成され、前記設定情報は、前記アップリンク信号を前記基地局に周期的に伝送するための情報を含み、
前記アップリンク信号を伝送するための時間において前記対応するアップリンクコンポーネント搬送波が利用可能な状態である場合に、前記アップリンク信号は、前記時間において前記対応するアップリンクコンポーネント搬送波で伝送され、
前記アップリンク信号を伝送するための時間において前記対応するアップリンクコンポーネント搬送波が利用不可能な状態である場合に、前記アップリンク信号は、前記時間において前記対応するアップリンクコンポーネント搬送波で伝送されない、ユーザー機器。
【請求項１０】
前記設定情報は、ＲＲＣ（Ｒａｄｉｏ  Ｒｅｓｏｕｒｃｅ  Ｃｏｎｔｒｏｌ）設定情報である、請求項９に記載のユーザー機器。
【請求項１１】
前記対応するアップリンクコンポーネント搬送波およびダウンリンクコンポーネント搬送波のためのリンケージ情報が、ＲＲＣシグナリングを用いて構成され、
前記対応するアップリンクコンポーネント搬送波の利用可能／利用不可能な状態は、前記ＲＲＣシグナリングにより構成されるリンケージ情報に基づいてＬ１／Ｌ２（Ｌａｙｅｒ  １／Ｌａｙｅｒ  ２）制御シグナリングを用いて制御される、請求項１０に記載のユーザー機器。
【請求項１２】
前記アップリンク信号は、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｆｏｒｍａｔｉｏｎ）及びＳＲＳ（Ｓｏｕｎｄｉｎｇ  Ｒｅｆｅｒｅｎｃｅ  Ｓｉｇｎａｌ）のうちの少なくとも一つを含む、請求項９に記載のユーザー機器。
【請求項１３】
前記対応するアップリンクコンポーネント搬送波が利用不可能な状態であるか否かは、前記対応するアップリンクコンポーネント搬送波にリンクされたダウンリンクコンポーネント搬送波の状態を用いて確認される、請求項９に記載のユーザー機器。
【請求項１４】
前記対応するアップリンクコンポーネント搬送波の利用可能／利用不可能な状態は、前記対応するアップリンクコンポーネント搬送波にリンクされたダウンリンクコンポーネント搬送波の利用可能／利用不可能な状態として同様に制御される、請求項９に記載のユーザー機器。
【請求項１５】
前記対応するアップリンクコンポーネント搬送波は、前記対応するアップリンクコンポーネント搬送波にリンクされた複数のダウンリンクコンポーネント搬送波がいずれも利用不可能な状態である場合に、利用不可能な状態として構成される、請求項９に記載のユーザー機器。
【請求項１６】
前記対応するアップリンクコンポーネント搬送波が利用不可能な状態であるか否かは、Ｌ１／Ｌ２制御シグナリングを用いて確認される、請求項９に記載のユーザー機器。
【発明の詳細な説明】
【技術分野】
【０００１】
本発明は、無線通信システムに関するもので、具体的には、搬送波集成を用いた通信方法及びそのための装置に関するものである。
【背景技術】
【０００２】
無線通信システムは、音声やデータなどの多様な種類の通信サービスを提供するために広範囲に展開されている。一般に、無線通信システムは、可用なシステム資源（帯域幅、伝送パワーなど）を共有して多重ユーザーとの通信をサポートできる多重接続システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明は、前記のような従来技術の問題を解決するためになされたもので、その目的は、搬送波集成をサポートする無線通信システムで効率的に通信を行うための方法及び装置を提供することにある。本発明の他の目的は、複数のコンポーネント搬送波を効率的に制御するための方法及びそのための装置を提供することにある。本発明の更に他の目的は、複数のコンポーネント搬送波を用いてアップリンク信号を効率的に伝送するための方法及びそのための装置を提供することにある。
【０００４】
本発明で達成しようとする技術的課題は、以上言及した各技術的課題に制限されず、言及していない他の技術的課題は、下記の記載から本発明の属する技術分野で通常の知識を有する者に明確に理解されるだろう。
【課題を解決するための手段】
【０００５】
本発明の一様相で、無線通信システムで複数のコンポーネント搬送波と接続された端末がアップリンク伝送を制御する方法において、アップリンクチャンネルを基地局に伝送するための設定情報を確認すること、前記設定情報を用いて特定アップリンクコンポーネント搬送波上で前記アップリンクチャンネルを前記基地局に伝送すべき時間を確認すること、及び前記アップリンクチャンネルを伝送すべき時間に前記特定アップリンクコンポーネント搬送波が非可用（ｎｏｎ−ａｖａｉｌａｂｌｅ）状態である場合、前記アップリンクチャンネルを伝送するための過程を無視することを含む電力管理方法が提供される。
【０００６】
本発明の他の様相で、無線通信システムで基地局と通信するように構成された端末において、複数のコンポーネント搬送波を用いて前記基地局との間で無線信号を送受信するように構成されたＲＦ（Ｒａｄｉｏ  Ｆｒｅｑｕｅｎｃｙ）ユニットと、前記基地局との間で送受信する情報及び前記端末の動作に必要なパラメーターを格納するためのメモリと、前記ＲＦユニットと前記メモリに連結され、前記端末の動作のために前記ＲＦユニットと前記メモリを制御するように構成されたプロセッサとを含み、前記プロセッサは、アップリンクチャンネルを前記基地局に伝送するための設定情報を確認すること、前記設定情報を用いて特定アップリンクコンポーネント搬送波上で前記アップリンクチャンネルを前記基地局に伝送すべき時間を確認すること、及び前記アップリンクチャンネルを伝送すべき時間に前記特定アップリンクコンポーネント搬送波が非可用状態である場合、前記アップリンクチャンネルを伝送するための過程を無視することを含むアップリンク伝送制御方法を行うように構成された端末が提供される。
【０００７】
ここで、前記設定情報は、前記アップリンクチャンネルを前記基地局に周期的に伝送するための情報を含むことができる。この場合、前記アップリンクチャンネルは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  ｉｎｆｏｒｍａｔｉｏｎ）又はＳＲＳ（Ｓｏｕｎｄｉｎｇ  Ｒｅｆｅｒｅｎｃｅ  Ｓｉｇｎａｌ）のうち少なくとも一つを運ぶためのチャンネルであり得る。
【０００８】
ここで、前記特定アップリンクコンポーネント搬送波が非可用状態であるか否かは、前記特定アップリンクコンポーネント搬送波とリンクされたダウンリンクコンポーネント搬送波の状態を用いて確認することができる。この場合、前記特定アップリンクコンポーネント搬送波は、リンクされた複数のダウンリンクコンポーネント搬送波がいずれも非可用状態である場合に非可用状態として設定することができる。また、前記特定アップリンクコンポーネント搬送波が非可用状態であるか否かは、Ｌ１／Ｌ２制御シグナリングを用いて確認することができる。
【０００９】
本発明の更に他の様相で、無線通信システムで複数のコンポーネント搬送波と接続された端末が基地局にアップリンク信号を伝送する方法において、前記アップリンク信号を伝送するための第１の構成を設定すること、前記第１の構成を用いて前記アップリンク信号を伝送するための時間を確認すること、及び前記時間が前記アップリンク信号と関連したコンポーネント搬送波の非可用区間と重なる場合、前記アップリンク信号を第２の構成によって前記基地局に伝送することを含み、前記第２の構成は、伝送周期に関する情報及び周波数帯域に関する情報のうち少なくとも一つが前記第１の構成と異なっている信号伝送方法が提供される。
【００１０】
本発明の更に他の様相で、無線通信システムで基地局と通信するように構成された端末において、複数のコンポーネント搬送波を用いて前記基地局との間で無線信号を送受信するように構成されたＲＦユニットと、前記基地局との間で送受信する情報及び前記端末の動作に必要なパラメーターを格納するためのメモリと、前記ＲＦユニットと前記メモリに連結され、前記端末の動作のために前記ＲＦユニットと前記メモリを制御するように構成されたプロセッサとを含み、前記プロセッサは、アップリンク信号を伝送するための第１の構成を設定すること、前記第１の構成を用いて前記アップリンク信号を伝送するための時間を確認すること、及び前記時間が前記アップリンク信号と関連したコンポーネント搬送波の非可用区間と重なる場合、前記アップリンク信号を第２の構成によって前記基地局に伝送することを含み、前記第２の構成は、伝送周期に関する情報及び周波数帯域に関する情報のうち少なくとも一つが前記第１の構成と異なっている信号伝送方法を行うように構成された端末が提供される。
本発明は、例えば以下の項目を提供する。
（項目１）
無線通信システムで複数のコンポーネント搬送波と接続された端末がアップリンク信号伝送を制御する方法において、
アップリンクチャンネルを基地局に伝送するための設定情報を確認すること、
前記設定情報を用いて特定アップリンクコンポーネント搬送波上で前記アップリンクチャンネルを前記基地局に伝送すべき時間を確認すること、及び
前記アップリンクチャンネルを伝送すべき時間に前記特定アップリンクコンポーネント搬送波が非可用状態である場合、前記アップリンクチャンネルを伝送するための過程を無視することを含む電力管理方法。
（項目２）
前記設定情報は、前記アップリンクチャンネルを前記基地局に周期的に伝送するための情報を含むことを特徴とする、項目１に記載の電力管理方法。
（項目３）
前記アップリンクチャンネルは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  ｉｎｆｏｒｍａｔｉｏｎ）又はＳＲＳ（Ｓｏｕｎｄｉｎｇ  Ｒｅｆｅｒｅｎｃｅ  Ｓｉｇｎａｌ）のうち少なくとも一つを運ぶためのチャンネルであることを特徴とする、項目２に記載の電力管理方法。
（項目４）
前記特定アップリンクコンポーネント搬送波が非可用状態であるか否かは、前記特定アップリンクコンポーネント搬送波とリンクされたダウンリンクコンポーネント搬送波の状態を用いて確認されることを特徴とする、項目１に記載の電力管理方法。
（項目５）
前記特定アップリンクコンポーネント搬送波は、リンクされた複数のダウンリンクコンポーネント搬送波がいずれも非可用状態である場合に非可用状態に設定されることを特徴とする、項目４に記載の電力管理方法。
（項目６）
前記特定アップリンクコンポーネント搬送波が非可用状態であるか否かは、Ｌ１／Ｌ２制御シグナリングを用いて確認されることを特徴とする、項目１に記載の電力管理方法。
（項目７）
無線通信システムで基地局と通信するように構成された端末において、
複数のコンポーネント搬送波を用いて前記基地局との間で無線信号を送受信するように構成されたＲＦ（Ｒａｄｉｏ  Ｆｒｅｑｕｅｎｃｙ）ユニットと、
前記基地局との間で送受信する情報及び前記端末の動作に必要なパラメーターを格納するためのメモリと、
前記ＲＦユニットと前記メモリに連結され、前記端末の動作のために前記ＲＦユニットと前記メモリを制御するように構成されたプロセッサと、を含み、前記プロセッサは、
アップリンクチャンネルを前記基地局に伝送するための設定情報を確認すること、
前記設定情報を用いて特定アップリンクコンポーネント搬送波上で前記アップリンクチャンネルを前記基地局に伝送すべき時間を確認すること、及び
前記アップリンクチャンネルを伝送すべき時間に前記特定アップリンクコンポーネント搬送波が非可用状態である場合、前記アップリンクチャンネルを伝送するための過程を無視することを含むアップリンク伝送制御方法を行うように構成された端末。
（項目８）
前記設定情報は、前記アップリンクチャンネルを前記基地局に周期的に伝送するための情報を含むことを特徴とする、項目７に記載の端末。
（項目９）
前記アップリンクチャンネルは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  ｉｎｆｏｒｍａｔｉｏｎ）又はＳＲＳ（Ｓｏｕｎｄｉｎｇ  Ｒｅｆｅｒｅｎｃｅ  Ｓｉｇｎａｌ）のうち少なくとも一つを運ぶためのチャンネルであることを特徴とする、項目８に記載の端末。
（項目１０）
前記特定アップリンクコンポーネント搬送波が非可用状態であるか否かは、前記特定アップリンクコンポーネント搬送波とリンクされたダウンリンクコンポーネント搬送波の状態を用いて確認されることを特徴とする、項目７に記載の端末。
（項目１１）
前記特定アップリンクコンポーネント搬送波は、リンクされた複数のダウンリンクコンポーネント搬送波が全て非可用状態である場合に非可用状態に設定されることを特徴とする、項目１０に記載の端末。
（項目１２）
前記特定アップリンクコンポーネント搬送波が非可用状態であるか否かは、Ｌ１／Ｌ２制御シグナリングを用いて確認されることを特徴とする、項目７に記載の端末。
（項目１３）
無線通信システムで複数のコンポーネント搬送波と接続された端末が基地局にアップリンク信号を伝送する方法において、
前記アップリンク信号を伝送するための第１の構成を設定すること、
前記第１の構成を用いて前記アップリンク信号を伝送するための時間を確認すること、及び
前記時間が前記アップリンク信号と関連したコンポーネント搬送波の非可用区間と重なる場合、前記アップリンク信号を第２の構成によって前記基地局に伝送することを含み、
前記第２の構成は、伝送周期に関する情報及び周波数帯域に関する情報のうち少なくとも一つが前記第１の構成と異なっている信号伝送方法。
（項目１４）
無線通信システムで基地局と通信するように構成された端末において、
複数のコンポーネント搬送波を用いて前記基地局との間で無線信号を送受信するように構成されたＲＦ（Ｒａｄｉｏ  Ｆｒｅｑｕｅｎｃｙ）ユニットと、
前記基地局との間で送受信する情報及び前記端末の動作に必要なパラメーターを格納するためのメモリと、
前記ＲＦユニットと前記メモリに連結され、前記端末の動作のために前記ＲＦユニットと前記メモリを制御するように構成されたプロセッサと、を含み、前記プロセッサは、
アップリンク信号を伝送するための第１の構成を設定すること、
前記第１の構成を用いて前記アップリンク信号を伝送するための時間を確認すること、及び
前記時間が前記アップリンク信号と関連したコンポーネント搬送波の非可用区間と重なる場合、前記アップリンク信号を第２の構成によって前記基地局に伝送することを含み、
前記第２の構成は、伝送周期に関する情報及び周波数帯域に関する情報のうち少なくとも一つが前記第１の構成と異なっている信号伝送方法を行うように構成された端末。
【発明の効果】
【００１１】
本発明の各実施形態によると、搬送波集成をサポートする無線通信システムで通信を効率的に行うことができる。また、複数のコンポーネント搬送波を効率的に制御することができる。また、複数のコンポーネント搬送波を用いてアップリンク信号を効率的に伝送することができる。具体的に、複数のコンポーネント搬送波の状態が動的に変更される場合、効率的にＣＱＩ又はＳＲＳを伝送することが可能である。また、非対称の搬送波集成環境でも各コンポーネント搬送波の状態を効率的に設定することが可能である。
【００１２】
本発明で得られる効果は、以上言及した各効果に制限されず、言及していない他の効果は、下記の記載から本発明の属する技術分野で通常の知識を有する者に明確に理解されるだろう。
【図面の簡単な説明】
【００１３】
【図１】Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示す図である。
【図２】３ＧＰＰ無線接続網規格に基づいた端末とＥ−ＵＴＲＡＮとの間の無線インターフェースプロトコル構造を例示する図である。
【図３】ＬＴＥで使用される無線フレームの構造を例示する図である。
【図４】単一コンポーネント搬送波状況で通信を行う例を示す図である。
【図５】ＬＴＥで使用されるアップリンクサブフレームの構造を例示する図である。
【図６】アップリンク信号を周期的に伝送する例を示す図である。
【図７】アップリンク信号を周期的に伝送する例を示す図である。
【図８】アップリンク信号を周期的に伝送する例を示す図である。
【図９】多重コンポーネント搬送波状況下で通信を行う例を示す図である。
【図１０】本発明の実施形態によってコンポーネント搬送波の状態を設定する例を示す図である。
【図１１】本発明の実施形態によってアップリンク信号を伝送する例を示す図である。
【図１２】本発明の実施形態によってアップリンク信号を伝送する例を示す図である。
【図１３】本発明の実施形態によってアップリンク信号を伝送する例を示す図である。
【図１４】本発明の実施形態によってアップリンク信号を伝送する例を示す図である。
【図１５】本発明の実施形態によってアップリンク信号を伝送する例を示す図である。
【図１６】本発明の実施形態によってアップリンク信号を伝送する例を示す図である。
【図１７】本発明の実施形態によってアップリンク信号を伝送する例を示す図である。
【図１８】本発明の一実施形態に適用可能な基地局及び端末を例示する図である。
【発明を実施するための形態】
【００１４】
以下で添付の図面を参照して説明した本発明の各実施形態によって本発明の構成、作用及び他の特徴を容易に理解できるだろう。本発明の各実施形態は、ＣＤＭＡ、ＦＤＭＡ、ＴＤＭＡ、ＯＦＤＭＡ、ＳＣ−ＦＤＭＡ、ＭＣ−ＦＤＭＡなどの多様な無線接続技術に使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術に具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などの無線技術に具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｅ−ＵＴＲＡ（Ｅｖｏｌｖｅｄ  ＵＴＲＡ）などの無線技術に具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部である。ＬＴＥ−Ａ（Ａｄｖａｎｃｅｄ）は、３ＧＰＰ  ＬＴＥの進化されたバージョンである。
【００１５】
以下の各実施形態は、本発明の技術的特徴が３ＧＰＰシステムに適用される場合を中心に説明するが、これは例示であって、本発明がこれに制限されることはない。
【００１６】
図１は、Ｅ−ＵＭＴＳのネットワーク構造を示す。Ｅ−ＵＭＴＳは、ＬＴＥシステムとも呼ばれる。ＵＭＴＳ及びＥ−ＵＭＴＳの技術規格の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ７とＲｅｌｅａｓｅ８を参照することができる。
【００１７】
図１を参照すると、Ｅ−ＵＭＴＳは、端末（Ｕｓｅｒ  Ｅｑｕｉｐｍｅｎｔ；ＵＥ）１２０、基地局（ｅＮｏｄｅ  Ｂ；ｅＮＢ）１１０ａ及び１１０ｂ、ネットワーク（Ｅ−ＵＴＲＡＮ）の終端に位置して外部ネットワークと連結される接続ゲートウェイ（Ａｃｃｅｓｓ  Ｇａｔｅｗａｙ；ＡＧ）を含む。基地局は、ブロードキャストサービス、マルチキャストサービス及び／又はユニキャストサービスのために多重データストリームを同時に伝送することができる。一つの基地局には一つ以上のセルが存在する。セルは、１．２５、２．５、５、１０、１５、２０Ｍｈｚなどの帯域幅のうち一つに設定することができる。互いに異なるセルは、互いに異なる帯域幅を提供することができる。基地局は、多数の端末に対するデータ送受信を制御する。基地局は、ダウンリンク（Ｄｏｗｎｌｉｎｋ；ＤＬ）データのダウンリンクスケジューリング情報を伝送し、該当の端末にデータが伝送される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、基地局は、アップリンク（Ｕｐｌｉｎｋ；ＵＬ）データのアップリンクスケジューリング情報を該当の端末に伝送し、該当の端末が使用可能な時間／周波数領域、符号化、データサイズ、ＨＡＲＱ関連情報などを知らせる。基地局間には、ユーザートラフィック又は制御トラフィック伝送のためのインターフェースを使用することができる。核心網（Ｃｏｒｅ  Ｎｅｔｗｏｒｋ；ＣＮ）は、ＡＧ及び端末のユーザー登録などのためのネットワークノードなどで構成することができる。ＡＧは、複数のセルで構成されるＴＡ（Ｔｒａｃｋｉｎｇ  Ａｒｅａ）単位で端末の移動性を管理する。
【００１８】
図２は、３ＧＰＰ無線接続網規格を基盤にした端末とＥ−ＵＴＲＡＮとの間の無線インターフェースプロトコルの制御平面及びユーザー平面構造を示す。制御平面は、端末とネットワークが呼を管理するために用いる各制御メッセージが伝送される通路を意味する。ユーザー平面は、アプリケーション階層で生成されたデータ、例えば、音声データ又はインターネットパケットデータなどが伝送される通路を意味する。
【００１９】
第１の階層である物理階層は、物理チャンネルを用いて上位階層に情報伝送サービスを提供する。物理階層は、上位にある媒体接続制御階層とは伝送チャンネルを介して連結されている。前記伝送チャンネルを介して媒体接続制御階層と物理階層との間にデータが移動する。送信側と受信側の物理階層間には物理チャンネルを介してデータが移動する。前記物理チャンネルは、時間と周波数を無線資源として活用する。具体的に、物理チャンネルは、ダウンリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２０】
第２の階層の媒体接続制御（Ｍｅｄｉｕｍ  Ａｃｃｅｓｓ  Ｃｏｎｔｒｏｌ；ＭＡＣ）階層は、論理チャンネルを介して上位階層である無線リンク制御（Ｒａｄｉｏ  Ｌｉｎｋ  Ｃｏｎｔｒｏｌ；ＲＬＣ）階層にサービスを提供する。第２の階層のＲＬＣ階層は、信頼性のあるデータ伝送をサポートする。ＲＬＣ階層の機能は、ＭＡＣ内部の機能ブロックとして具現することもできる。第２の階層のＰＤＣＰ（Ｐａｃｋｅｔ  Ｄａｔａ  Ｃｏｎｖｅｒｇｅｎｃｅ  Ｐｒｏｔｏｃｏｌ）階層は、帯域幅の狭い無線インターフェースでＩＰｖ４やＩＰｖ６などのＩＰパケットを効率的に伝送するために、不必要な制御情報を減少させるヘッダー圧縮機能を行う。
【００２１】
第３の階層の最下部に位置した無線資源制御（Ｒａｄｉｏ  Ｒｅｓｏｕｒｃｅ  Ｃｏｎｔｒｏｌ；ＲＲＣ）階層は、制御平面のみで定義される。ＲＲＣ階層は、各無線ベアラ（Ｒａｄｉｏ  Ｂｅａｒｅｒ；ＲＢ）の設定、再設定及び解除と関連して論理チャンネル、伝送チャンネル及び物理チャンネルの制御を担当する。ＲＢは、端末とネットワークとの間のデータ伝達のために第２の階層によって提供されるサービスを意味する。このために、端末とネットワークのＲＲＣ階層は互いにＲＲＣメッセージを交換する。端末とネットワークのＲＲＣ階層との間にＲＲＣ連結がある場合、端末はＲＲＣ連結状態（Ｃｏｎｎｅｃｔｅｄ  Ｍｏｄｅ）にあり、そうでない場合は、ＲＲＣ休止状態（Ｉｄｌｅ  Ｍｏｄｅ）にある。ＲＲＣ階層の上位にあるＮＡＳ（Ｎｏｎ−Ａｃｃｅｓｓ  Ｓｔｒａｔｕｍ）階層は、セッション管理と移動性管理などの機能を行う。
【００２２】
ネットワークから端末にデータを伝送するダウンリンク伝送チャンネルとしては、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザートラフィックや制御メッセージを伝送するダウンリンクＳＣＨ（Ｓｈａｒｅｄ  Ｃｈａｎｎｅｌ）などがある。ダウンリンクマルチキャスト又は放送サービスのトラフィック又は制御メッセージの場合、ダウンリンクＳＣＨを介して伝送することもでき、別途のダウンリンクＭＣＨ（Ｍｕｌｔｉｃａｓｔ  Ｃｈａｎｎｅｌ）を介して伝送することもできる。一方、端末からネットワークにデータを伝送するアップリンク伝送チャンネルとしては、初期制御メッセージを伝送するＲＡＣＨ（Ｒａｎｄｏｍ  Ａｃｃｅｓｓ  Ｃｈａｎｎｅｌ）、ユーザートラフィックや制御メッセージを伝送するアップリンクＳＣＨ（Ｓｈａｒｅｄ  Ｃｈａｎｎｅｌ）がある。伝送チャンネルの上位にあり、伝送チャンネルにマッピングされる論理チャンネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２３】
図３は、ＬＴＥで使用される無線フレームの構造を例示する。
【００２４】
図３を参照すると、無線フレームは、１０ｍｓ（３２７２００・Ｔｓ）の長さを有し、１０個の均等な大きさのサブフレームで構成されている。それぞれのサブフレームは、１ｍｓの長さを有し、２個のスロットで構成されている。それぞれのスロットは０．５ｍｓ（１５３６０・Ｔｓ）の長さを有する。ここで、Ｔｓはサンプリング時間を示し、Ｔｓ＝１／（１５ｋＨｚ×２０４８）＝３．２５５２×１０−８（約３３ｎｓ）に表示される。スロットは時間領域で複数のＯＦＤＭシンボルを含み、周波数領域で複数の資源ブロック（Ｒｅｓｏｕｒｃｅ  Ｂｌｏｃｋ；ＲＢ）を含む。ＬＴＥシステムで、一つの資源ブロックは１２個の副搬送波×７（６）個のＯＦＤＭシンボルを含む。データが伝送される単位時間である伝送時間間隔（Ｔｒａｎｓｍｉｓｓｉｏｎ  Ｔｉｍｅ  Ｉｎｔｅｒｖａｌ；ＴＴＩ）は、一つ以上のサブフレーム単位で定めることができる。上述した無線フレームの構造は例示に過ぎなく、無線フレームに含まれるサブフレームの数、サブフレームに含まれるスロットの数、スロットに含まれるＯＦＤＭシンボルの数は多様に変更可能である。
【００２５】
図４は、単一コンポーネント搬送波状況で通信を行う例を示す。図４は、ＬＴＥシステムでの通信例に対応することができる。
【００２６】
図４を参照すると、一般的なＦＤＤ方式の無線通信システムは、一つのダウンリンク帯域とこれに対応する一つのアップリンク帯域を通してデータ送受信を行う。基地局と端末は、サブフレーム単位でスケジューリングされたデータ及び／又は制御情報を送受信する。データは、アップリンク／ダウンリンクサブフレームに設定されたデータ領域を通して送受信され、制御情報は、アップリンク／ダウンリンクサブフレームに設定された制御領域を通して送受信される。このために、アップリンク／ダウンリンクサブフレームは、多様な物理チャンネルを介して信号を運ぶ。図４は、便宜上、ＦＤＤ方式を中心に説明したが、上述した内容は、図３の無線フレームを時間領域でアップリンク／ダウンリンクに区分することによって、ＴＤＤ方式にも適用することができる。
【００２７】
ダウンリンクで、制御領域はサブフレームの１番目のＯＦＤＭＡシンボルから始まり、一つ以上のＯＦＤＭＡシンボルを含む。制御領域のサイズは、サブフレームごとに独立的に設定することができる。制御領域は、Ｌ１／Ｌ２（ｌａｙｅｒ１／ｌａｙｅｒ２）制御信号を伝送するのに使用される。データ領域は、ダウンリンクトラフィックを伝送するのに使用される。制御領域に割り当てられる制御チャンネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）を含む。
【００２８】
ＰＤＣＣＨは、サブフレームの最初のｎ個のＯＦＤＭＡシンボルに割り当てられる。ｎは、１以上の整数であって、ＰＣＦＩＣＨによって指示される。ＰＤＣＣＨは、一つ以上のＣＣＥで構成される。それぞれのＣＣＥは９個のＲＥＧを含み、それぞれのＲＥＧは、基準信号を除いた状態で４個の隣接した資源要素で構成される。資源要素は、１個の副搬送波×１個のシンボルとして定義される最小資源単位である。ＰＤＣＣＨは、伝送チャンネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）の資源割り当てと関連した情報、アップリンクスケジューリンググラント、ＨＡＲＱ情報などを各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを介して伝送される。ＰＤＳＣＨのデータがどの端末（一つ又は複数の端末）に伝送されるものであるか、そして、各端末がどのようにＰＤＳＣＨデータを受信してデコーディングしなければならないかに関する情報などは、ＰＤＣＣＨに含まれて伝送される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキングされており、「Ｂ」という無線資源（例えば、周波数位置）及び「Ｃ」という伝送形式情報（例えば、伝送ブロックサイズ、変調方式、コーディング情報など）を用いて伝送されるデータに関する情報が特定サブフレームを介して伝送されると仮定する。該当のセルの端末は、自身が有しているＲＮＴＩ情報を用いてＰＤＣＣＨをモニタリングし、「Ａ」ＲＮＴＩを有している端末はＰＤＣＣＨを受信し、受信したＰＤＣＣＨの情報を通して「Ｂ」と「Ｃ」によって指示されるＰＤＳＣＨを受信する。
【００２９】
図５は、ＬＴＥで使用されるアップリンクサブフレームの構造を例示する。
【００３０】
図５を参照すると、アップリンク伝送の基本単位である１ｍｓ長さのサブフレーム５００は、二つの０．５ｍｓスロット５０１で構成される。一般（ｎｏｒｍａｌ）循環前置（Ｃｙｃｌｉｃ  Ｐｒｅｆｉｘ；ＣＰ）の長さを仮定するとき、各スロットは７個のシンボル５０２で構成され、一つのシンボルは一つのＳＣ−ＦＤＭＡシンボルに対応する。資源ブロック（Ｒｅｓｏｕｒｃｅ  Ｂｌｏｃｋ：ＲＢ）５０３は、周波数領域での１２個の副搬送波、時間領域での一つのスロットに該当する資源割り当て単位である。アップリンクサブフレームは、データ領域５０４と制御領域５０５に区分される。
【００３１】
データ領域は、アップリンク共有チャンネル（ＰＵＳＣＨ）を含み、音声、映像などのデータ信号を伝送するのに使用される。制御領域は、アップリンク制御チャンネル（ＰＵＣＣＨ）を含み、制御情報を伝送するのに使用される。ＰＵＣＣＨは、周波数軸でデータ領域の両端に位置したＲＢペアを含み、スロット境界でホッピングする。制御情報は、ＨＡＲＱ  ＡＣＫ／ＮＡＣＫ、ダウンリンクに対するチャンネル情報（以下、ダウンリンクチャンネル情報又はチャンネル情報）を含む。ダウンリンクチャンネル情報は、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  ｉｎｆｏｒｍａｔｉｏｎ）などを含む。基地局は、各端末から受けたダウンリンクチャンネル情報を用いて各端末にデータ伝送のための適切な時間／周波数資源、変調方法、コーディング率などを定めるようになる。
【００３２】
ＬＴＥシステムで、各端末は、チャンネル情報伝送モードによってＣＱＩ、ＰＭＩ、ＲＩを全て伝送したり、そのうち一部のみを伝送する。チャンネル情報が周期的に伝送される場合を周期的報告といい、チャンネル情報が基地局の要請によって伝送される場合を非周期的報告という。非周期的報告の場合、基地局から送られるアップリンクスケジューリング情報に含まれている要請ビットが端末に伝送される。その後、端末は、自身の伝送モードを考慮したチャンネル情報をアップリンクデータチャンネル（ＰＵＳＣＨ）を介して基地局に伝達する。周期的報告の場合、各端末別に上位階層信号を通して半静的（ｓｅｍｉ−ｓｔａｔｉｃ）方式で周期と該当周期でのオフセットなどがサブフレーム単位でシグナリングされる。各端末は、伝送モードを考慮したチャンネル情報を、定めた周期にしたがってアップリンク制御チャンネル（ＰＵＣＣＨ）を介して基地局に伝達する。チャンネル情報を伝送するサブフレームにアップリンクデータが同時に存在すると、チャンネル情報は、データと共にアップリンクデータチャンネル（ＰＵＳＣＨ）を介して伝送される。基地局は、各端末のチャンネル状況及びセル内の端末分布状況などを考慮し、各端末に適した伝送タイミング情報を端末に伝送する。伝送タイミング情報は、チャンネル情報を伝送するための周期、オフセットなどを含み、ＲＲＣメッセージを通して各端末に伝送することができる。
【００３３】
一方、端末は、アップリンクチャンネル情報を基地局に知らせるためにサウンディング参照信号（Ｓｏｕｎｄｉｎｇ  Ｒｅｆｅｒｅｎｃｅ  Ｓｉｇｎａｌ；ＳＲＳ）を伝送する。ＬＴＥの場合、ＳＲＳは、時間軸でアップリンクサブフレームの一番最後に位置するＳＣ−ＦＤＭＡシンボルがある区間と、周波数軸でのデータ伝送帯域を通して伝送される。同一のアップリンクサブフレームの最後のＳＣ−ＦＤＭＡに伝送される多くの端末の各ＳＲＳは、周波数位置／シーケンスによって区分可能である。各端末別に上位階層信号を通して半静的方式でＳＲＳを伝送するための周期と該当の周期でのオフセットなどをサブフレーム単位でシグナリングすることができる。ＳＲＳは、設定によって全てのバンド又はサブバンドを通して伝送され、サブバンドを通して伝送される場合、ＳＲＳ伝送時に周波数帯域ホッピングが行われる。
【００３４】
ダウンリンクに関するチャンネル情報又はＳＲＳを伝送するための設定情報（例えば、周期、オフセット、伝送帯域、ホッピング可否など）は、セル−特定（Ｃｅｌｌ−ｓｐｅｃｉｆｉｃ）及び／又は端末−特定（ＵＥ−ｓｐｅｃｉｆｉｃ）ＲＲＣシグナリングによって基地局から端末に割り当てることができる。
【００３５】
図６〜図８は、チャンネル情報の周期的報告に対して例示する。便宜上、これら図面は、ダウンリンクチャンネル情報（例えば、ＣＱＩ、ＰＭＩ、ＲＩなど）を伝送する場合を中心に示したが、アップリンクチャンネル情報（例えば、ＳＲＳなど）を伝送する場合にも同様に適用される。
【００３６】
図６は、端末に｛周期「５」、オフセット「１」｝を示す情報がシグナリングされた場合にチャンネル情報を伝送する例を示す。図６を参照すると、周期「５」、オフセット「１」を示す情報を受けた場合、端末は、０番目のサブフレームからサブフレームインデックスの増加方向に一つのサブフレームのオフセットを置いて５個のサブフレーム単位でチャンネル情報を伝送する。チャンネル情報は基本的にＰＵＣＣＨを介して伝送されるが、同一時点にデータ伝送のためのＰＵＳＣＨが存在すると、チャンネル情報はＰＵＳＣＨを介してデータと共に伝送される。サブフレームインデックスは、システムフレーム番号（ｎｆ）とスロットインデックス（ｎｓ、０〜１９）の組み合わせからなる。サブフレームは２個のスロットからなるので、サブフレームインデックスは１０×ｎｆ＋ｆｌｏｏｒ（ｎｓ／２）と定義することができる。ｆｌｏｏｒ（）は、床関数を示す。
【００３７】
図７は、システム帯域が１６個のＲＢで構成されたシステムを例示する。この場合、システム帯域は二つのＢＰ（Ｂａｎｄｗｉｄｔｈ  Ｐａｒｔ）で構成され（ＢＰ０、ＢＰ１）、それぞれのＢＰは二つのＳＢ（ｓｕｂｂａｎｄ）（ＳＢ０、ＳＢ１）で構成され、それぞれのＳＢは４個のＲＢで構成されると仮定する。前記仮定は説明のための例示であって、システム帯域のサイズによってＢＰの個数及び各ＳＢのサイズが変わり得る。また、ＲＢの個数、ＢＰの個数及びＳＢのサイズによってそれぞれのＢＰを構成するＳＢの個数が変わり得る。ＷＢ（ｗｉｄｅｂａｎｄ）ＣＱＩとＳＢ  ＣＱＩをいずれも伝送する場合、ＷＢ  ＣＱＩとＳＢ  ＣＱＩは交互に伝送される。一方、ＰＭＩフィードバックタイプによってＰＭＩも伝送しなければならない場合は、ＰＭＩ情報をＣＱＩ情報と共に伝送する。
【００３８】
図８は、端末に｛周期「５」、オフセット「１」｝を示す情報がシグナリングされた場合にＷＢ  ＣＱＩとＳＢ  ＣＱＩを全て伝送する例を示す。図８を参照すると、ＣＱＩは、種類とは関係なく、シグナリングされた周期とオフセットに該当するサブフレームのみで伝送することができる。図８（ａ）は、ＣＱＩのみが伝送される場合を例示し、図８（ｂ）は、ＣＱＩとＲＩが共に伝送される場合を例示する。ＲＩは、ＲＩが伝送されるＷＢ  ＣＱＩ伝送周期の倍数と、その伝送周期でのオフセットとの組み合わせで上位階層（例えば、ＲＲＣ階層）からシグナリングすることができる。ＲＩのオフセットは、ＣＱＩのオフセットに対する相対的な値としてシグナリングされる。例えば、ＣＱＩのオフセットが「１」で、ＲＩのオフセットが「０」であると、ＲＩはＣＱＩと同一のオフセットを有するようになる。ＲＩのオフセットは、０と負数の値として定義される。具体的に、図８（ｂ）は、図８（ａ）と同一の環境でＲＩの伝送周期がＷＢ  ＣＱＩ伝送周期の１倍であり、ＲＩのオフセットが「−１」である場合を仮定する。ＷＢ  ＣＱＩとＲＩの伝送サブフレームが重なる場合、ＷＢ  ＣＱＩをドロップしてＲＩを伝送するようになる。
【００３９】
図９は、多重コンポーネント搬送波状況下で通信を行う例を示す。ＬＴＥ−Ａシステムは、より広い周波数帯域を使用するために、複数のアップリンク／ダウンリンク周波数ブロックを集めてより大きいアップリンク／ダウンリンク帯域幅を使用する搬送波集成（ｃａｒｒｉｅｒ  ａｇｇｒｅｇａｔｉｏｎ又はｂａｎｄｗｉｄｔｈ  ａｇｇｒｅｇａｔｉｏｎ）技術を使用する。それぞれの周波数ブロックは、コンポーネント搬送波（Ｃｏｍｐｏｎｅｎｔ  Ｃａｒｒｉｅｒ；ＣＣ）を用いて伝送される。本明細書で、コンポーネント搬送波は、文脈上、搬送波集成のための周波数ブロック又は周波数ブロックの中心搬送波を意味することができ、これらは互いに混用される。
【００４０】
図９を参照すると、アップリンク／ダウンリンクにそれぞれ５個の２０ＭＨｚ  ＣＣが集まって１００ＭＨｚ帯域幅をサポートすることができる。それぞれのＣＣは、周波数領域で互いに隣接してもよく、隣接しなくてもよい。図９は、便宜上、ＵＬ  ＣＣの帯域幅とＤＬ  ＣＣの帯域幅がいずれも同一で、かつ対称である場合を示した。しかし、各ＣＣの帯域幅は独立的に定めることができる。一例として、ＵＬ  ＣＣの帯域幅は５ＭＨｚ（ＵＬ  ＣＣ０）＋２０ＭＨｚ（ＵＬ  ＣＣ１）＋２０ＭＨｚ（ＵＬ  ＣＣ２）＋２０ＭＨｚ（ＵＬ  ＣＣ３）＋５ＭＨｚ（ＵＬ  ＣＣ４）のように構成することができる。また、ＵＬ  ＣＣの個数とＤＬ  ＣＣの個数が異なる非対称的な搬送波集成も可能である。非対称的な搬送波集成は、可用な周波数帯域の制限によって発生したり、ネットワーク設定によって人為的に生成することができる。一例として、全体のシステム帯域がＮ個のＣＣで構成されるとしても、特定端末が受信可能な周波数帯域はＭ（＜Ｎ）個のＣＣに限定することができる。以下で、本発明の各実施形態は、便宜上、Ｎ個のＣＣに適用される場合を中心に説明するが、本発明の各実施形態がＭ個のＣＣに対して適用されることは自明である。また、端末に割り当てられたＮ（又はＭ）個のＣＣをＬ個のＣＣグループに分けた後、各ＣＣグループごとに本発明の実施形態を適用することも可能である。
【００４１】
実施形態１：コンポーネント搬送波の状態設定
端末が複数のＤＬ  ＣＣで構成されたセルに接続する場合、基地局は、端末のバッテリー消費を減少させるためにシステムの全体のＤＬ  ＣＣのうち一つ又は一部のＤＬ  ＣＣのみに対して一般的なコントロール／データ受信を行うように制限し、残りのＤＬ  ＣＣに対しては制限的な受信のみを行うようにＤＬ  ＣＣを割り当てることができる。便宜上、任意の端末に対して一般的なコントロール／データ受信を行うように割り当てられたＤＬ  ＣＣを活性ＤＬ  ＣＣと定義し、それ以外のＤＬ  ＣＣを非活性ＤＬ  ＣＣと定義する。一例として、図９のように５個のＤＬ  ＣＣで構成されたセルを制御する基地局で任意の端末に１個のＤＬ  ＣＣのみを活性ＤＬ  ＣＣとして割り当て、残りの４個のＤＬ  ＣＣは非活性ＤＬ  ＣＣとして割り当てることができる。活性／非活性ＤＬ  ＣＣは半静的又は動的に割り当てることができ、このために、ＲＲＣシグナリング、Ｌ１／Ｌ２制御シグナリング（例えば、ＰＤＣＣＨ）又は別途に定義されたシグナリングを使用することができる。活性／非活性ＤＬ  ＣＣは、チャンネル状況、ダウンリンクトラフィック要求量、ダウンリンクトラフィック又はこれらの任意の組み合わせを用いて割り当てることができる。本明細書で、活性／非活性ＤＬ  ＣＣは、特別に意味を区別して記述しない限り、可用／非可用ＤＬ  ＣＣ又は活性化／非活性化ＤＬ  ＣＣのような等価の用語と混用することができる。
【００４２】
図９のように複数のＤＬ  ＣＣとＵＬ  ＣＣが存在する場合、基地局は、特定ＵＬ  ＣＣと特定ＤＬ  ＣＣとの間に半静的又は動的にリンケージ（ｌｉｎｋａｇｅ）を設定して任意の端末にシグナリングすることができる。ＤＬ  ＣＣとＵＬ  ＣＣのリンケージ関係は、セル−特定又は端末−特定ＲＲＣシグナリング又はＬ１／Ｌ２制御シグナリング（例えば、ＰＤＣＣＨ）によって設定することができる。この場合、シグナリングオーバーヘッドなどで減少させるために、ＵＬ  ＣＣの状態をリンクされたＤＬ  ＣＣの状態に合わせて自動に設定する方案を提案する。具体的に、特定ＤＬ  ＣＣが活性ＤＬ  ＣＣとして割り当てられる場合、該当のＤＬ  ＣＣとリンクされたＵＬ  ＣＣは、自動にアップリンク信号の伝送が可能になるように設定することができる。便宜上、このようなＵＬ  ＣＣを可用ＵＬ  ＣＣと称し、該当のＵＬ  ＣＣが可用状態にあるといえる。その一方、特定ＤＬ  ＣＣが非活性ＤＬ  ＣＣとして割り当てられる場合、該当のＤＬ  ＣＣとリンクされたＵＬ  ＣＣは、全て又は一部のアップリンク信号を伝送しないように自動に設定することができる。便宜上、このようなＵＬ  ＣＣを非可用ＵＬ  ＣＣと称し、該当のＵＬ  ＣＣは非可用状態にあるといえる。本明細書で、可用／非可用ＵＬ  ＣＣは、特別に意味を区別して記述しない限り、活性／非活性ＵＬ  ＣＣ又は活性化／非活性化ＵＬ  ＣＣのような等価の用語と混用することができる。
【００４３】
ＤＬ  ＣＣは、シグナリングによって半静的又は動的に活性／非活性ＤＬ  ＣＣへの設定及び変更が可能であるので、該当のＤＬ  ＣＣにリンクされているＵＬ  ＣＣも半静的又は動的に可用／非可用ＵＬ  ＣＣとして自動に設定される。すなわち、ＵＬ  ＣＣは、時間軸上でのＤＬ  ＣＣの状態によって半静的又は動的に可用／非可用状態を遷移するようになる。このとき、ＤＬ  ＣＣの活性／非活性ＤＬ  ＣＣ割り当てによるＵＬ  ＣＣの可用／非可用ＵＬ  ＣＣの設定は、必ずしも同一のタイミングでなくてもよく、一定のタイミング間隔が存在してもよい。
【００４４】
図１０は、ＵＬ  ＣＣとＤＬ  ＣＣのマッピング（すなわち、リンケージ）関係によってＵＬ  ＣＣの状態を設定する例を示す。ケース１は、ＤＬ  ＣＣとＵＬ  ＣＣが１対１にマッピングされた場合を例示し、ケース２は、ＤＬ  ＣＣとＵＬ  ＣＣが多対１にマッピングされた場合を例示し、ケース３は、ＤＬ  ＣＣとＵＬ  ＣＣが１対多にマッピングされた場合を例示する。ケース２及び３のような非対称マッピングは、一例として非対称的な搬送波集成環境で発生することができる。
【００４５】
ケース１を参照すると、ＵＬ  ＣＣは、リンクされたＤＬ  ＣＣが活性ＤＬ  ＣＣとして割り当てられた場合に自動に可用ＵＬ  ＣＣとして設定され、ＵＬ  ＣＣは、リンクされたＤＬ  ＣＣが非活性ＤＬ  ＣＣとして割り当てられた場合に自動に非可用ＵＬ  ＣＣとして設定される。ケース２を参照すると、ＵＬ  ＣＣは、リンクされたＤＬ  ＣＣのうち任意の一つのＤＬ  ＣＣのみが活性ＤＬ  ＣＣとして割り当てられるとしても自動に可用ＵＬ  ＣＣとして設定することができる。一方、該当のＵＬ  ＣＣは、リンクされた全てのＤＬ  ＣＣが非活性ＣＣとして割り当てられる場合のみに自動に非可用ＵＬ  ＣＣとして設定することができる。ケース３を参照すると、一つのＤＬ  ＣＣが活性ＤＬ  ＣＣとして割り当てられると、リンクされた全てのＵＬ  ＣＣを自動に可用ＵＬ  ＣＣとして設定し、該当のＤＬ  ＣＣが非活性ＣＣとして割り当てられると、リンクされた全てのＵＬ  ＣＣを自動に非可用ＣＣとして設定することができる。
【００４６】
実施形態２：搬送波集成状況でのアップリンク伝送の制御
既存の３ＧＰＰシステムで、一部のアップリンク信号のアップリンク伝送時点は、既に設定された構成／タイミングによって自動的に決定される。一例として、ダウンリンクデータを受信した場合、前記ダウンリンクデータに対するＡＣＫ／ＮＡＣＫ信号は、ダウンリンクデータ受信時点から一定の時間が経過した後で自動に伝送される。また、端末は、ダウンリンクに関するチャンネル情報（例えば、ＣＱＩ、ＰＭＩ、ＲＩなど）を周期的に基地局に報告し、基地局がアップリンクのチャンネル状態を測定できるようにアップリンク信号（例えば、ＳＲＳ）を周期的に伝送する。発明の理解を促進するために、以下では、ダウンリンクと関連したアップリンク信号、望ましくはダウンリンクチャンネル情報の代表例としてＣＱＩを使用し、アップリンクと関連した信号の代表例としてＳＲＳを使用して説明する。ＣＱＩ、ＳＲＳなどを伝送するための設定情報（例えば、周期、オフセット、伝送帯域、ホッピング可否など）は、セル−特定及び／又は端末−特定ＲＲＣシグナリングを通してシグナリングすることができる。
【００４７】
セルが多数のＵＬ  ＣＣで構成されている場合、端末は、多数のＵＬ  ＣＣに対するアップリンクチャンネル状態を測定するためのＳＲＳを基地局に伝送しなければならなく、各ＤＬ  ＣＣに対するＣＱＩ情報も伝送しなければならない。ＣＱＩ（又はＳＲＳ）の場合、ＲＲＣシグナリングによって伝送周期が与えられ、１回シグナリングされると、一定期間の間（例えば、設定が変更又は解除される前まで）はシグナリングされた周期によって伝送されなければならない。一方、搬送波集成状況で、ＤＬ  ＣＣは、動的又は半静的に活性／非活性ＤＬ  ＣＣとして割り当てることができ、ＵＬ  ＣＣは、実施形態１の方法でリンクされたＤＬ  ＣＣの状態によって自動に可用／非可用ＵＬ  ＣＣとして設定することができる。実施形態１の方法とは異なり、ＵＬ  ＣＣは、リンクされたＤＬ  ＣＣの状態に依存せずに、ＲＲＣシグナリング、Ｌ１／Ｌ２制御シグナリング（例えば、ＰＤＣＣＨ）又は新しく定義されたシグナリングを用いて独立的に可用／非可用ＵＬ  ＣＣとして設定することができる。
【００４８】
したがって、設定情報によってアップリンク信号（例えば、ＣＱＩ、ＳＲＳなど）を伝送すべき時点に該当のＤＬ／ＵＬ  ＣＣが非活性（非可用）状態に設定されている場合、アップリンク信号を伝送するための動作と非活性（非可用）ＤＬ／ＵＬの定義による動作とが互いに相反することがあるので、これに対する解決方法が必要である。一例として、ＣＱＩ（又はＳＲＳ）伝送時点に該当のＵＬ  ＣＣが非可用化状態に設定された場合、ＣＱＩ（又はＳＲＳ）伝送に優先順位を置き、ＣＱＩ（又はＳＲＳ）伝送周期によって非可用ＵＬ  ＣＣを可用ＵＬ  ＣＣとして設定する方案を考慮することができる。しかし、該当のＵＬ  ＣＣを可用ＵＬ  ＣＣとして設定するためには、該当のＵＬ  ＣＣとリンクされているＤＬ  ＣＣが活性ＤＬ  ＣＣとして割り当てられなければならないので、非活性ＤＬ  ＣＣ設定を通したバッテリー消費を大きく節約できなくなる。
【００４９】
したがって、本発明は、設定情報によってアップリンク信号を伝送すべき時点に該当のＤＬ／ＵＬ  ＣＣが非活性（非可用）状態である場合、アップリンク信号を伝送しないか、アップリンク信号を伝送するための構成（例えば、伝送時点／パターン／帯域）を変更して制限的に伝送する方式を提案する。
【００５０】
図１１は、本発明の実施形態によって搬送波集成状況で端末がアップリンク信号の伝送を制御する方法を例示する。図１１を参照すると、端末は、アップリンク信号を伝送するために基地局からアップリンク物理チャンネル（信号）割り当てを決定／確認するためのパラメーターを（半静的）に受信することができる（Ｓ１１１０、オプション）。アップリンク信号は、周期的に伝送される信号、例えば、ＣＱＩ、ＰＭＩ、ＲＩ、ＳＲＳなどを含む。基地局から受信するパラメーターは、アップリンク信号を伝送するための周期情報、オフセット情報、帯域などを含む。その後、端末は、アップリンク物理チャンネル（信号）割り当てを決定／確認するための過程を行う（Ｓ１１２０）。この過程を通して、アップリンク物理チャンネル（信号）を伝送するためのＵＬ  ＣＣインデックス、アップリンク伝送時点（例えば、ＵＬサブフレームインデックス）などを決定することができる。
【００５１】
その後、端末は、アップリンク物理チャンネル（信号）がＵＬ  ＣＣの非可用部分（例えば、サブフレーム、スロット、ＯＦＤＭ又はＳＣ−ＦＤＭＡシンボル）を通して伝送されなければならない場合、アップリンク物理チャンネル（信号）を伝送しないこともある（Ｓ１１３０、オプション（ａ））。すなわち、ＲＲＣシグナリングによって各ＣＣに対するＣＱＩ（又はＳＲＳ）の伝送周期が割り当てられた端末は、ＣＱＩ（又はＳＲＳ）の伝送周期と該当のＵＬ  ＣＣが可用ＵＬ  ＣＣとして設定されたきの時点とが一致する場合のみにＣＱＩ（又はＳＲＳ）を伝送し、ＣＱＩ（又はＳＲＳ）の伝送周期であるとしても、該当のＵＬ  ＣＣが可用ＵＬ  ＣＣとして割り当てられなかったとき、すなわち、非可用ＣＣとして設定されたときは、ＣＱＩ（又はＳＲＳ）を伝送しない。他の方案として、端末は、アップリンク物理チャンネル（信号）を本来の設定（パラメーター）とは異なる方式（例えば、周期変更、パターン変更）で伝送することができる（Ｓ１１３０、オプション（ｂ））。オプション（ａ）及び（ｂ）については、それぞれ図１２〜図１５と図１６〜図１７を参照して具体的な事項及び各状況による変形方法を説明する。
【００５２】
実施形態２−１：ＵＬ  ＣＣの状態を考慮したアップリンク伝送の制御
図１２は、ＵＬ  ＣＣの状態を考慮してアップリンク伝送を制御する一例を示す。図１２は、セルが３個のＣＣで構成された場合を仮定する。図面で、ＣＣはＤＬ  ＣＣ又はＵＬ  ＣＣと解釈可能であるが、以下の説明ではＵＬ  ＣＣの場合を仮定する。本実施形態は、任意の端末に対して、ＣＣ＃１の場合は常に可用ＵＬ  ＣＣとして設定され、ＣＣ＃０とＣＣ＃２の場合は、チャンネル状態及びセルトラフィック負荷状況によって動的に可用／非可用ＵＬ  ＣＣとして設定される場合を仮定する。ＣＣ＃１、ＣＣ＃２及びＣＣ＃３に対するＣＱＩ（又はＳＲＳ）の伝送周期には、それぞれ５、３及び４サブフレームが割り当てられたと仮定する。
【００５３】
図１２を参照すると、ＣＣ＃１は常に可用ＵＬ  ＣＣとして設定されているので、ＣＣ＃１で、ＣＱＩ（又はＳＲＳ）は設定された伝送周期に合わせて常に３サブフレームごとに伝送される。一方、ＣＣ＃０及びＣＣ＃２は動的に可用／非可用ＵＬ  ＣＣとして設定されるので、ＣＱＩ（又はＳＲＳ）は、伝送周期によって予約された伝送時点（例えば、サブフレーム）に該当のＣＣ＃が可用ＵＬ  ＣＣとして割り当てられたときのみに伝送され、その他の場合は伝送されない。図１２は、本発明を説明するための一つの例であって、任意のＣＣの個数、報告周期などとは関係なく、本発明の適用が可能である。また、ＣＱＩ又はＳＲＳでない他の周期的又は非周期的信号及びチャンネルを伝送する場合にも本発明の適用が可能である。
【００５４】
一方、特定ＣＣが継続して非可用ＵＬ  ＣＣとしてのみ設定されている場合、該当のＣＣに対するＣＱＩ又はＳＲＳは継続して伝送することが不可能である。しかし、基地局の立場では、該当のＣＣに対するチャンネル情報受信及びチャンネル状態測定を行う必要がある。したがって、この場合は、基地局がＣＱＩ又はＳＲＳ伝送周期に該当のＣＣを可用ＵＬ  ＣＣとして設定するように該当のＵＬ  ＣＣとリンクされているＤＬ  ＣＣを活性ＤＬ  ＣＣとして割り当てる方法も可能である。また、該当のＵＬ  ＣＣとリンクされたＤＬ  ＣＣを活性ＤＬ  ＣＣとして割り当てず、その時点のみに該当のＵＬ  ＣＣを可用ＣＣとして設定する追加シグナリングを定義することもできる。この場合、ＵＬ  ＣＣのための追加シグナリングは、ダウンリンク制御情報を伝送するために常に活性状態に維持される特定ＤＬ  ＣＣ（例えば、アンカー又はプライマリーＤＬ  ＣＣ）を通して行うことができる。
【００５５】
一方、ＣＱＩは、ＤＬ  ＣＣのチャンネル状態を指示する情報であるので、必ずしも特定ＵＬ  ＣＣを通して伝送される必要はない。したがって、図１２でＣＣ＃１〜ＣＣ＃３を通してそれぞれ伝送されることに示したＣＱＩ伝送は、一つの特定ＵＬ  ＣＣ（例えば、アンカー又はプライマリーＵＬ  ＣＣ）を通して行うことができる。また、図１２のように、ＣＱＩ（又はＳＲＳ）が複数のＵＬ  ＣＣを通して伝送される場合、ＵＬ  ＣＣ間の伝送周期／オフセットなどを調節し、ＣＱＩ（又はＳＲＳ）をＵＬ  ＣＣ間にＴＤＭ（Ｔｉｍｅ  Ｄｉｖｉｓｉｏｎ  Ｍｕｌｔｉｐｌｅｘｉｎｇ）方式で伝送することも可能である。
【００５６】
実施形態２−２：ＤＬ  ＣＣ状態によるアップリンク伝送制御１
ＤＬ  ＣＣと関連したアップリンク情報、望ましくはＤＬ  ＣＣに対するダウンリンクチャンネル情報（例えば、ＣＱＩ）を伝送する場合、ＤＬ  ＣＣとＵＬ  ＣＣとの間のリンケージ関係が別途に設定されていない状況があり得る。この場合、ＵＬ  ＣＣを通してＣＱＩを伝送する方法としては、ＣＱＩ伝送方式及び伝送周期などの設定によって多くの方法が存在し得る。一例として、複数のＤＬ  ＣＣに対するＣＱＩ情報を一つのＵＬ  ＣＣ（例えば、アンカー又はプライマリーＵＬ  ＣＣ）を通して伝送することができる。他の例として、複数のＤＬ  ＣＣに対するＣＱＩが多くのＵＬ  ＣＣを通して伝送される場合、複数のＣＱＩはＵＬ  ＣＣ間の伝送周期などを調節してＴＤＭ（Ｔｉｍｅ  Ｄｉｖｉｓｉｏｎ  Ｍｕｌｔｉｐｌｅｘｉｎｇ）方式で伝送することもでき、同一の周期を有する場合、一度に多数のＣＱＩを多数のＵＬ  ＣＣを通して伝送することもできる。その他にも、多様な方法でＣＱＩを伝送することができる。このうち一つの伝送方法のみを使用できるが、場合に応じては多数の伝送方法を使用することもできる。
【００５７】
したがって、本発明は、ＣＱＩ伝送方法とは関係なく、ＤＬ  ＣＣの活性／非活性ＣＣ割り当てによってＣＱＩの伝送有無を決定する方法を提案する。具体的に、端末に割り当てられた全てのＤＬ  ＣＣに対してＣＱＩ伝送周期、タイミングオフセット、伝送されるＵＬ  ＣＣなどを予め設定し、伝送しようとするＣＱＩが活性ＣＣと関連した場合はＣＱＩを伝送し、非活性ＣＣと関連した場合はＣＱＩを伝送しない方法を提案する。この場合、図１１のＳ１１３０に例示した条件は、一例として「該当の時点に伝送すべきアップリンク物理チャンネル（信号）がＤＬ  ＣＣの非活性部分と関連した場合」に変更することができる。
【００５８】
図１３〜図１５は、ＤＬ  ＣＣの状態によってアップリンク伝送を制御する例を示す。図１３〜図１５で、活性／非活性割り当てはＤＬ  ＣＣのみに適用され、ＵＬ  ＣＣには適用されないと仮定する。すなわち、ＵＬ  ＣＣは、ＤＬ  ＣＣの状態とは関係なく常に信号を伝送することができる。このような仮定は、本発明を説明するためのものであって、実施形態１又は２−１のようにＵＬ  ＣＣが可用／非可用状態に設定されることを排除するものではない。すなわち、ＵＬ  ＣＣが時間の経過とともに可用／非可用状態に設定される場合にも本発明は適用可能である。
【００５９】
図１３は、各ＤＬ  ＣＣ別にＣＱＩ伝送周期が別途に設定されており、複数のＤＬ  ＣＣに対するＣＱＩを複数のＵＬ  ＣＣを通して伝送する場合を示す。この場合、ＤＬ  ＣＣが活性／非活性ＣＣとして割り当てられたか否かによって該当のＤＬ  ＣＣに関するＣＱＩ伝送有無が決定される。図１３を参照すると、ＤＬ  ＣＣ＃０に関するＣＱＩが伝送される時点はＵＬ  ＣＣ＃０で１番、５番、９番及び１３番のサブフレームとして設定されているが、ＤＬ  ＣＣ＃０が５番のサブフレームで非活性ＣＣとして割り当てられている。したがって、ＤＬ  ＣＣ＃０に関するＣＱＩは、ＵＬ  ＣＣ＃０で１番、９番及び１３番のサブフレームを通してのみ伝送され、５番のサブフレームを通しては伝送されない。図１３は、ＤＬ  ＣＣ＃０のｎ番のサブフレームに対するＣＱＩがＵＬ  ＣＣ＃０のｎ番のサブフレームを通して伝送されることを仮定している。しかし、これは、説明のための例示であって、実際にダウンリンクチャンネル測定が行われるダウンリンクサブフレームのインデックスとＣＱＩが伝送されるアップリンクサブフレームのインデックスは異なり得る。一例として、ＵＬ  ＣＣ＃０の５番のサブフレームを通して伝送されるＣＱＩは、ＤＬ  ＣＣ＃０の３番のサブフレームのチャンネル品質に関するものであり得る（すなわち、２サブフレームの差）。この場合、ＵＬ  ＣＣ＃０の５番のサブフレームを通してＣＱＩを伝送するか否かは、ＤＬ  ＣＣ＃０の３番のサブフレームが非活性状態に設定されているか否かによって決定することができる。
【００６０】
図１４は、各ＤＬ  ＣＣ別にＣＱＩ伝送周期が別途に設定されており、複数のＤＬ  ＣＣに対するＣＱＩが一つのＵＬ  ＣＣを通してのみ伝送される場合を示す。この場合、ＤＬ  ＣＣが活性／非活性ＣＣとして割り当てられたか否かによって該当のＤＬ  ＣＣに関するＣＱＩ伝送有無が決定される。複数のＤＬ  ＣＣに対するＣＱＩが伝送されるように設定された特定ＵＬ  ＣＣは、アンカー又はプライマリーＵＬ  ＣＣと称することができる。図１４を参照すると、ＤＬ  ＣＣ＃０に関するＣＱＩが伝送される時点は、ＵＬ  ＣＣ＃１で１番、５番、９番及び１３番のサブフレームとして設定されているが、ＤＬ  ＣＣ＃０が５番のサブフレームで非活性ＣＣとして割り当てられている。したがって、ＤＬ  ＣＣ＃０に関するＣＱＩは、ＵＬ  ＣＣ＃１で１番、９番及び１３番のサブフレームを通してのみ伝送され、５番のサブフレームを通しては伝送されない。これと同様に、ＵＬ  ＣＣ＃１は、ＤＬ  ＣＣ＃１とＤＬ  ＣＣ＃２に対する活性／非活性ＣＣの割り当てによって各ＤＬ  ＣＣに該当するＣＱＩ情報を伝送することができる。ＵＬ  ＣＣ＃１で、９番のサブフレームは、二つのＤＬ  ＣＣ（ＤＬ  ＣＣ＃０、ＤＬ  ＣＣ＃２）のＣＱＩ伝送時点であると同時に、該当の二つのＤＬ  ＣＣ（ＤＬ  ＣＣ＃０、ＤＬ  ＣＣ＃２）がいずれも活性ＣＣとして割り当てられたので、二つのＤＬ  ＣＣ（ＤＬ  ＣＣ＃０、ＤＬ  ＣＣ＃２）に対するＣＱＩ情報が同時に伝送される。
【００６１】
図１５は、複数のＤＬ  ＣＣに対するＣＱＩが複数のＵＬ  ＣＣに伝送されるが、ＣＣ間に伝送周期／オフセットが考慮され、全体的にＴＤＭ方式で伝送される場合を示す。各ＤＬ  ＣＣに関するＣＱＩがＴＤＭ方式で伝送されることを除いては図１３及び図１４と同一であるので、詳細な事項は図１３及び図１４を参照する。
【００６２】
上述した例は、本発明の理解を促進するためのものであって、上述した例以外の多様な方式のＣＱＩ伝送方式に本発明の適用が可能である。また、図１３〜図１５で、ＤＬサブフレームインデックスとＵＬサブフレームインデックスは本発明の説明のために使用されたものであって、同一のＤＬ／ＵＬサブフレームインデックスであるとしても、必ずしも同一の時点でのサブフレームを意味することはなく、ＤＬサブフレームとＵＬサブフレームのインデックス間に一定の間隔のタイミングが存在し得る。
【００６３】
実施形態２−３：ＤＬ  ＣＣ状態によるアップリンク伝送の制御２
本実施形態は、ＣＱＩの伝送周期に該当する時点とＤＬ  ＣＣが活性ＣＣとして割り当てられた時点とが一致する場合、該当のＵＬ  ＣＣにＣＱＩを既に設定された構成によって伝送し、ＣＱＩの伝送周期に該当する時点にＤＬ  ＣＣが非活性ＣＣとして割り当てられる場合は、既に設定された構成とは異なる構成を用いてＣＱＩを伝送する方法を提案する。一例として、ＤＬ  ＣＣが非活性状態に設定されている場合、端末は、ＣＱＩのための構成（パラメーター）（例えば、伝送周期／パターン／測定帯域など）を既に設定された構成と異ならせることができる。
【００６４】
本実施形態は、実施形態２−２で提案したＣＱＩ伝送中止動作と共に使用したり、選択的に使用することができる。具体的に、端末は、ＤＬ  ＣＣが活性ＣＣとして設定された場合、既に設定されたＣＱＩ構成に合わせてＣＱＩ伝送を行い、途中で該当のＤＬ  ＣＣが非活性ＣＣとして設定されると、実施形態２−２で提案したように、ＣＱＩ伝送を中止（ＳＲＳ  ｏｆｆ）したり、ＣＱＩを変更された構成によって伝送することができる。
【００６５】
図１６は、本実施形態によってＣＱＩのアップリンク伝送を制御する例を示す。既に設定されたＣＱＩ構成によると、ＣＱＩ周期は２ｍｓ（２サブフレーム）で、ＷＢ内にＢＷパートが２個（ＢＰ１〜２）あると仮定する。この場合、ＣＱＩは、２ｍｓごとにＷＢ＝＞ＢＰ１＝＞ＢＰ２の順に伝送される。図１６を参照すると、ＤＬ  ＣＣが活性ＣＣから非活性ＣＣとして設定される場合、ＣＱＩは、次のように変更された方式で伝送することができる。下記の方法は、本発明の理解を促進するためのものであって、独立的に又は互いに組み合わせて使用することができる。
【００６６】
方法１−１：既に設定されたＣＱＩ構成でＣＱＩ伝送周期のみを変更してＣＱＩ伝送を行うことができる。一例として、ＤＬ  ＣＣが非活性状態にある場合、ＣＱＩ伝送周期は、既に設定された周期の整数倍（例えば、２ｍｓ×２＝４ｍｓ）に変更することができる。
【００６７】
方法１−２：方法１−１を適用し、変更された周期を通して伝送されるＣＱＩの測定帯域の伝送順序は、元のＣＱＩ伝送順序と異ならせることができる。一例として、ＤＬ  ＣＣが非活性された場合、ＣＱＩ帯域の伝送順序はＷＢ＝＞ＢＰ１＝＞ＢＰ２からＢＰ１＝＞ＷＢ＝＞ＢＰ２に変更することができる。
【００６８】
方法１−３：既に設定されたＣＱＩ構成でＣＱＩ伝送周期と測定帯域（例えば、ＷＢ  ＣＱＩ）をいずれも変更してＣＱＩ伝送を行うことができる。一例として、ＤＬ  ＣＣが非活性された場合、ＣＱＩ伝送周期は２ｍｓ×３＝６ｍｓに変更し、ＣＱＩ測定帯域はＷＢ＝＞ＷＢ＝＞ＷＢ＝＞ＢＰ２に変更することができる。
【００６９】
方法１−４：既に設定されたＣＱＩ構成を基盤にして同一帯域に対するＣＱＩ伝送周期のみを変更（例えば、整数倍）することができる。一例として、ＷＢ＝＞ＢＰ１＝＞ＢＰ２を伝送する場合は、各ＣＱＩに対する伝送周期を２ｍｓに維持し、新しく同一帯域に対するＣＱＩを伝送する場合は、既に設定されたＣＱＩ伝送周期の整数倍（例えば、２ｍｓ×４＝８ｍｓ）に変更することができる。したがって、図１６でＢＰ２＝＞ＷＢ間のＣＱＩ伝送時間間隔は８ｍｓになる。
【００７０】
本実施形態のためのシグナリングは多様に具現することができる。一例として、本実施形態のためのシグナリングは、活性／非活性ＣＣ設定用制御信号（例えば、Ｌ１／Ｌ２制御シグナリング又はＲＲＣシグナリング）に含ませて伝送することができる。他の例として、非活性ＤＬ  ＣＣのためのＣＱＩパラメーター変更用制御チャンネル（例えば、ＰＤＣＣＨ）を別途に構成することができる。
【００７１】
具体的に、ＣＱＩオフの場合、１−ビットシグナリングが可能であり、方法１−１〜１−４の場合、１−ビットシグナリングを基盤にして非活性ＣＣ設定時のために予め定められている変更されたＣＱＩ伝送周期／パターン／測定帯域値を適用したり、変更されたＣＱＩ伝送周期／パターン／測定帯域値を直接シグナリングすることも可能である。また、一つのフィールドを通してＣＱＩオフと方法１−１〜１−４を選択／組み合わせるように設定する方式も可能である。また、方法１−１〜１−４のために、活性及び非活性ＣＣ設定時に適用される２個のＣＱＩ設定を全て既に設定することも可能である。一例として、共通したシグナリング情報に伝送周期／パターン／測定帯域のうち少なくとも一つを２個ずつ設定することができる。
【００７２】
実施形態２−４：ＵＬ  ＣＣ状態によるアップリンク伝送の制御
ＳＲＳは、アップリンクチャンネル状態を知るために端末が基地局に伝送する信号であるので、ＤＬ  ＣＣが非活性ＣＣとして割り当てられ、端末がダウンリンクでデータを受信しない状況であっても、端末のアップリンクデータ伝送のためのスケジューリングのために、基地局は各ＵＬ  ＣＣのアップリンクチャンネル情報を知る必要がある。したがって、ＳＲＳの伝送有無／方式は、ＤＬ  ＣＣの活性／非活性ＣＣの割り当てとは関係なく、伝送しようとするＵＬ  ＣＣの活性化／非活性化によって決定することができる。ＵＬ  ＣＣの活性化／非活性化は、半静的又は動的に変更することができる。便宜上、活性化状態のＵＬ  ＣＣを活性化ＵＬ  ＣＣと称し、非活性化状態のＵＬ  ＣＣを非活性化ＵＬ  ＣＣと称することができる。本実施形態で、非活性化ＵＬ  ＣＣは、実施形態１で例示したように定義することができ、より具体的に、アップリンクデータチャンネル（例えば、ＰＵＳＣＨ）に対する伝送のみが制限されたＵＬ  ＣＣ、又はデータ伝送を始めとする一部の制御情報の伝送（例えば、ＰＵＣＣＨ）が制限されたＵＬ  ＣＣと定義することができる。
【００７３】
したがって、本実施形態は、ＳＲＳの伝送周期に該当する時点とＵＬ  ＣＣが活性化ＣＣとして割り当てられた時点とが一致する場合、該当のＵＬ  ＣＣにＳＲＳを既に設定された構成によって伝送し、ＳＲＳの伝送周期に該当する時点にＵＬ  ＣＣが非活性化ＣＣとして割り当てられる場合は、既に設定された構成とは異なる構成を用いてＳＲＳを伝送する方法を提案する。一例として、ＵＬ  ＣＣが非活性化状態に設定されている場合、端末は、ＳＲＳのための構成（パラメーター）（例えば、伝送周期／パターン／伝送帯域など）を既に設定された構成と異ならせることができる。
【００７４】
本実施形態では、ＵＬ  ＣＣの活性化／非活性化変更方法に制限を置かない。一例として、ＵＬ  ＣＣは、ＤＬ  ＣＣとは別途に活性化／非活性化したり、ＤＬ  ＣＣに対する活性／非活性ＣＣ割り当てによって活性化／非活性化することもできる。したがって、ＵＬ  ＣＣの活性化／非活性化がリンクされたＤＬ  ＣＣによって決定される場合、ＳＲＳ伝送のためのパラメーターの変更は、非活性ＤＬ  ＣＣとリンクされたＵＬ  ＣＣに適用することができる。一方、ＵＬ  ＣＣの活性化／非活性化がＤＬ  ＣＣと関係なく決定される場合、ＳＲＳ伝送のためのパラメーターの変更は非活性化ＵＬ  ＣＣに適用することができる。また、ＳＲＳの伝送周期は、ＵＬ  ＣＣ間で独立的に割り当てることができ、複数のＵＬ  ＣＣ間の周期を調節してＴＤＭ方式で伝送が行われるように割り当てることができ、その他にも、多くの多様な方式で割り当てることができる。
【００７５】
本実施形態は、実施形態２−１で提案したＳＲＳ伝送中止動作と共に使用したり、選択的に使用することができる。具体的に、端末は、ＵＬ  ＣＣが活性化ＣＣとして設定された場合、既に設定されたＳＲＳ構成に合わせてＳＲＳ伝送を行い、途中で該当のＵＬ  ＣＣが非活性化ＣＣとして設定されると、実施形態２−１で提案したようにＳＲＳ伝送を中止（ＳＲＳ  ｏｆｆ）したり、ＳＲＳを変更された構成によって伝送することができる。
【００７６】
図１７は、本実施形態によってＳＲＳのアップリンク伝送を制御する例を示す。既に設定されたＳＲＳ構成によると、ＳＲＳ周期は２ｍｓ（２サブフレーム）で、ＳＲＳホッピングＢＷ（ＷＢ）内にＳＲＳ  ＢＷが４個（ＳＢ１〜４）あると仮定する。この場合、ＳＲＳは２ｍｓごとに伝送され、ＳＢ１＝＞ＳＢ３＝＞ＳＢ２＝＞ＳＢ４の順に周波数ホッピングが行われる。
【００７７】
図１７を参照すると、ＵＬ  ＣＣが活性化ＣＣから非活性化ＣＣとして設定される場合、ＳＲＳは、次のように変更された方式で伝送することができる。下記の方法は、本発明の理解を促進するためのものであって、独立的に又は互いに組み合わせて使用することができる。
【００７８】
方法２−１：既に設定されたＳＲＳ構成でＳＲＳ伝送周期のみを変更してＳＲＳ伝送を行うことができる。一例として、ＵＬ  ＣＣが非活性化された場合、ＳＲＳ伝送周期は既に設定された周期の整数倍（例えば、２ｍｓ×３＝６ｍｓ）に変更することができる。
【００７９】
方法２−２：方法２−１を適用し、変更された周期を通して伝送されるＳＲＳの伝送帯域の伝送順序は元のＳＲＳ伝送順序と異ならせることができる。一例として、ＵＬ  ＣＣが非活性化された場合、ＳＲＳ帯域の伝送順序は、ＳＢ１＝＞ＳＢ３＝＞ＳＢ２＝＞ＳＢ４からＳＢ２＝＞ＳＢ３＝＞ＳＢ１＝＞ＳＢ４に変更することができる。
【００８０】
方法２−３：既に設定されたＳＲＳ構成でＳＲＳ伝送周期と伝送帯域をいずれも変更してＳＲＳ伝送を行うことができる。この場合、ＵＬ  ＣＣが非活性化状態にある場合、ＳＲＳ  ＢＷをＳＲＳホッピングＢＷより大きいか、又はそれと同一に設定することができる。ＵＬ  ＣＣが非活性化された場合、ＳＲＳ伝送周期は２ｍｓ×４＝８ｍｓに変更し、ＳＲＳ伝送帯域はＷＢに変更することができる。
【００８１】
方法２−４：既に設定されたＳＲＳ構成を基盤にして同一帯域に対するＳＲＳ伝送周期のみを変更（例えば、整数倍）することができる。一例として、ＳＲＳホッピングＢＷ内に４個のＳＲＳ  ＢＷを伝送する場合はＳＲＳ伝送周期を２ｍｓに維持し、新しく同一の帯域に対するＳＲＳを伝送する場合は、既に設定されたＳＲＳ伝送周期の整数倍（例えば、２ｍｓ×５＝１０ｍｓ）に変更することができる。したがって、図１７でＳＢ４＝＞ＳＢ１間のＳＲＳ伝送時間の間隔は１０ｍｓになる。
【００８２】
本実施形態のためのシグナリングは、活性化／非活性化ＵＬ  ＣＣ設定方法によって多様に具現することができる。一例として、ＵＬ  ＣＣがＤＬ  ＣＣの活性／非活性ＣＣ割り当てによって活性化／非活性化される場合、本実施形態のためのシグナリングは、活性／非活性ＤＬ  ＣＣ設定用制御信号（例えば、Ｌ１／Ｌ２制御シグナリング又はＲＲＣシグナリング）を通して行うことができる。他の例として、ＵＬ  ＣＣがＤＬ  ＣＣとは関係なく活性化／非活性化される場合、本実施形態のためのシグナリングは、活性化／非活性化ＵＬ  ＣＣ設定用制御信号（例えば、Ｌ１／Ｌ２制御シグナリング又はＲＲＣシグナリング）に含ませて伝送することができる。更に他の例として、非活性化ＵＬ  ＣＣのためのＳＲＳパラメーター変更用制御チャンネル（例えば、ＰＤＣＣＨ）を別途に構成することができる。
【００８３】
具体的に、ＳＲＳオフの場合、１−ビットシグナリングが可能であり、方法２−１〜２−４の場合、１−ビットシグナリングを基盤にして非活性化ＵＬ  ＣＣ設定時のために予め定められている変更されたＳＲＳ伝送周期／パターン／伝送帯域値を適用したり、変更されたＳＲＳ伝送周期／パターン／伝送帯域値を直接シグナリングすることも可能である。また、一つのフィールドを通してＳＲＳオフ及び方法２−１〜２−４を選択／組み合わせて設定する方式も可能である。また、方法２−１〜２−４のために、活性化及び非活性化ＵＬ  ＣＣ設定時に適用される２個のＳＲＳ設定を全て既に設定することも可能である。一例として、共通した設定情報に伝送周期／パターン／伝送帯域のうち少なくとも一つを２個ずつ設定することができる。
【００８４】
図１８は、本発明の一実施形態に適用可能な基地局及び端末を例示する。
【００８５】
図１８を参照すると、無線通信システムは、基地局（ＢＳ）１１０及び端末（ＵＥ）１２０を含む。ダウンリンクで、送信機は基地局１１０の一部であり、受信機は端末１２０の一部である。アップリンクで、送信機は端末１２０の一部であり、受信機は基地局１１０の一部である。基地局１１０は、プロセッサ１１２、メモリ１１４及び無線周波数（Ｒａｄｉｏ  Ｆｒｅｑｕｅｎｃｙ；ＲＦ）ユニット１１６を含む。プロセッサ１１２は、本発明で提案した手順及び／又は各方法を具現するように構成することができる。メモリ１１４は、プロセッサ１１２と連結され、プロセッサ１１２の動作と関連した多様な情報を格納する。ＲＦユニット１１６は、プロセッサ１１２と連結され、無線信号を送信及び／又は受信する。端末１２０は、プロセッサ１２２、メモリ１２４及びＲＦユニット１２６を含む。プロセッサ１２２は、本発明で提案した手順及び／又は各方法を具現するように構成することができる。メモリ１２４は、プロセッサ１２２と連結され、プロセッサ１２２の動作と関連した多様な情報を格納する。ＲＦユニット１２６は、プロセッサ１２２と連結され、無線信号を送信及び／又は受信する。基地局１１０及び／又は端末１２０は、単一アンテナ又は多重アンテナを有することができる。
【００８６】
以上説明した各実施形態は、本発明の各構成要素と特徴が所定形態で結合されたものである。各構成要素又は特徴は、別途の明示的な言及がない限り、選択的なものとして考慮しなければならない。各構成要素又は特徴は、他の構成要素や特徴と結合されない形態で実施可能である。また、一部の構成要素及び／又は特徴を結合して本発明の実施形態を構成することも可能である。本発明の各実施形態で説明する各動作の順序は変更可能である。一つの実施形態の一部の構成や特徴は、他の実施形態に含ませたり、又は、他の実施形態の対応する構成又は特徴に取り替えることができる。特許請求の範囲で明示的な引用関係のない各請求項を結合して実施形態を構成したり、出願後の補正によって新しい請求項を含ませることが可能であることは自明である。
【００８７】
本文書で、本発明の各実施形態は、主に端末と基地局との間のデータ送受信関係を中心に説明した。本文書で、基地局によって行われると説明した特定動作は、場合によってはその上位ノードによって行うことができる。すなわち、基地局を含む複数のネットワークノードからなるネットワークで端末との通信のために行われる多様な各動作は、基地局又は基地局以外の他のネットワークノードによって行えることは自明である。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイントなどの用語に取り替えることができる。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えることができる。
【００８８】
本発明に係る実施形態は、多様な手段、例えば、ハードウェア、ファームウェア、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【００８９】
ファームウェアやソフトウェアによる具現の場合、本発明の一実施形態は、以上説明した機能又は各動作を行うモジュール、手順又は関数などの形態で具現することができる。ソフトウェアコードは、メモリユニットに格納されてプロセッサによって駆動され得る。前記メモリユニットは、前記プロセッサの内部又は外部に位置し、既に公知の多様な手段によって前記プロセッサとの間でデータを取り交わすことができる。
【００９０】
本発明がその特徴を逸脱しない範囲で他の特定の形態で具体化され得ることは、当業者にとって自明である。したがって、前記の詳細な説明は、全ての面で制限的に解釈してはならなく、例示的なものとして考慮しなければならない。本発明の範囲は、添付の請求項の合理的な解釈によって決定しなければならなく、本発明の等価的範囲内での全ての変更は本発明の範囲に含まれる。
【産業上の利用可能性】
【００９１】
本発明は、無線通信システムに適用することができ、具体的に、搬送波集成を用いた通信方法及びそのための装置に適用することができる。
【図１】
0005636045.tif 000002
【図２】
0005636045.tif 000003
【図３】
0005636045.tif 000004
【図４】
0005636045.tif 000005
【図５】
0005636045.tif 000006
【図６】
0005636045.tif 000007
【図７】
0005636045.tif 000008
【図８】
0005636045.tif 000009
【図９】
0005636045.tif 000010
【図１０】
0005636045.tif 000011
【図１１】
0005636045.tif 000012
【図１２】
0005636045.tif 000013
【図１３】
0005636045.tif 000014
【図１４】
0005636045.tif 000015
【図１５】
0005636045.tif 000016
【図１６】
0005636045.tif 000017
【図１７】
0005636045.tif 000018
【図１８】
0005636045.tif 000019